(57)【要約】【課題】デジタルラジオ放送を受信する受信機において、ヒット曲のみを記憶装置に自動記憶する。【解決手段】デジタルラジオ受信機１はデジタルラジオ放送のサブチャネルに含まれれる楽曲情報をデコードし、楽曲名とアーティスト名を含むオンエア回数リスト１６ｃを作成する。ある楽曲がオンエアされる毎にオンエア回数リスト１６ｃのオンエア回数１６ｃ２を更新する。オンエア回数リスト１６ｃの上位数曲にフラグ１６ｃ３を設定し、受信した楽曲データがフラグの設定された楽曲に相当する場合に、その楽曲データをＨＤＤ（ハードディスクドライブ）２２に記憶する。【選択図】図１
2007110244.tif 000002
【特許請求の範囲】
【請求項１】
デジタルラジオ放送を受信するデジタルラジオ放送受信装置であって、
特定の放送局あるいは任意の複数放送局のデジタルラジオ放送を受信し、受信信号に含まれる楽曲データを検出する楽曲データ検出手段と、
検出した楽曲データの設定期間内の受信回数を計測する計測手段と、
所定期間内の受信回数が相対的に多い楽曲データを抽出する抽出手段と、
抽出した楽曲データを記憶する記憶手段と、
を有することを特徴とするデジタルラジオ放送受信装置。
【請求項２】
請求項１記載の装置において、さらに、
電源ＯＦＦの動作停止モード、電源ＯＮの通常動作モード、前記楽曲データ検出手段と前記計測手段と前記抽出手段と前記記憶手段に電力が供給されるスタンバイモードのいずれかのモードに設定するモード設定手段を有し、
前記スタンバイモードにおいて前記抽出した楽曲データを前記記憶手段に記憶することを特徴とするデジタルラジオ放送受信装置。
【請求項３】
請求項１記載の装置において、さらに、
前記楽曲データに付随する、前記楽曲データの楽曲名及びアーティスト名を含む楽曲情報を検出する楽曲情報検出手段を有し、
前記計測手段は、前記楽曲名及び前記アーティスト名で特定される楽曲毎のオンエア回数を記録するオンエア回数リストを作成し、前記楽曲データを受信する毎に前記オンエア回数リストを更新することで前記受信回数を計測することを特徴とするデジタルラジオ放送受信装置。
【請求項４】
請求項３記載の装置において、
前記計測手段は、前記オンエア回数リストに記録されたオンエア回数が相対的に上位の楽曲にフラグを設定し、
前記楽曲データ検出手段は、検出した楽曲データをバッファメモリに記憶し、
前記抽出手段は、前記バッファメモリに記憶された楽曲データに対応する、前記オンエア回数リストにおける楽曲に前記フラグが設定されている場合に前記バッファメモリに記憶された前記楽曲データを前記記憶手段に転送することを特徴とするデジタルラジオ放送受信装置。
【請求項５】
デジタルラジオ放送受信装置であって、
デジタルラジオ放送に含まれるメインチャネル信号とサブチャネル信号をそれぞれ復調するデコーダと、
前記メインチャネル信号に含まれる楽曲の音声データを検出する音声データ検出手段と、
前記サブチャネル信号に含まれる前記楽曲の楽曲名及びアーティスト名を含む楽曲情報を検出する楽曲情報検出手段と、
前記楽曲毎のオンエア回数を記憶するオンエア回数記憶手段と、
前記楽曲情報を検出する毎に前記オンエア回数を更新するとともに、前記オンエア回数が相対的に多い楽曲に識別情報を設定する手段と、
前記音声データ検出手段で検出された楽曲データが前記識別情報の付された楽曲に相当するか否かを判定し、相当する場合に前記楽曲データを不揮発性記憶手段に格納する手段と、
を有することを特徴とするデジタルラジオ放送受信装置。
【発明の詳細な説明】
【技術分野】
【０００１】
本発明はデジタルラジオ放送受信装置に関し、特に楽曲データの自動録音に関する。
【背景技術】
【０００２】
従来のＡＭ／ＦＭラジオの録音（エアチェック）において、一部のＦＭ放送局はＲＤＳ機能（ラジオデータシステム：音声信号にデータ信号を重畳して放送）や文字放送機能により曲名やアーティスト名などの楽曲情報を楽曲とほぼ同時に流しているため受信機の表示部にこれらの情報を表示することが可能となっているが、基本的には放送内容を１曲毎に自動的に区切って録音することは不可能であり、また楽曲情報を録音ファイル名として用いることができず楽曲情報で曲を管理することもできない。
【０００３】
一方、このようなアナログラジオ放送に比べ、デジタルラジオ放送では楽曲情報が楽曲の開始と同時に放送局から送信されてくるので、そのデータ放送の切り替わりのタイミングを楽曲の切り替わりと判断して自動的に楽曲単位で区切ることができ、さらに録音された個々の楽曲ファイルに楽曲名及びアーティスト名を付することができるので、録音済み楽曲ファイルの管理を容易に行うことができる。
【０００４】
このようにデジタルラジオ放送を受信する受信機では、放送される楽曲をそれぞれ１曲毎のファイルとして録音することが可能であるから、例えば１時間番組であれば１５曲（１曲当たり４分の場合）、１日であれば３６０曲の楽曲を個別のファイルとして録音することができ、これらのファイルの全てに楽曲名とアーティスト名を付けて管理し、録音後のファイルの分類や検索を実行できる。
【０００５】
【特許文献１】特開２００４−２８８３３０号公報
【発明の開示】
【発明が解決しようとする課題】
【０００６】
しかしながら、大量の録音が自動で行えるからといって、１日２４時間、任意の放送局を録音し続けても毎日膨大な数の録音ファイルが作成されるだけであって、これだけではユーザにとり利便性の高い機能とは言い得ず、ある程度録音対象を絞って録音する方が望ましい。特に、多くのユーザにとっては、現在ヒットしている楽曲を優先的に録音したいとの希望があり、ヒットしている楽曲のみを自動的に録音する機能があればユーザにとり真に使い易い受信機となる。
【０００７】
本発明の目的は、デジタルラジオ放送を受信する受信機において、現在ヒットしていると思われる楽曲のみを自動録音できる機能を実現することにある。
【課題を解決するための手段】
【０００８】
本発明は、デジタルラジオ放送を受信するデジタルラジオ放送受信装置であって、特定の放送局あるいは任意の複数放送局のデジタルラジオ放送を受信し、受信信号に含まれる楽曲データを検出する楽曲データ検出手段と、検出した楽曲データの設定期間内の受信回数を計測する計測手段と、所定期間内の受信回数が相対的に多い楽曲データを抽出する抽出手段と、抽出した楽曲データを記憶する記憶手段とを有することを特徴とする。
【０００９】
また、本発明は、デジタルラジオ放送受信装置であって、デジタルラジオ放送に含まれるメインチャネル信号とサブチャネル信号をそれぞれ復調するデコーダと、前記メインチャネル信号に含まれる楽曲の音声データを検出する音声データ検出手段と、前記サブチャネル信号に含まれる前記楽曲の楽曲名及びアーティスト名を含む楽曲情報を検出する楽曲情報検出手段と、前記楽曲毎のオンエア回数を記憶するオンエア回数記憶手段と、前記楽曲情報を検出する毎に前記オンエア回数を更新するとともに、前記オンエア回数が相対的に多い楽曲に識別情報を設定する手段と、前記音声データ検出手段で検出された楽曲データが前記識別情報の付された楽曲に相当するか否かを判定し、相当する場合に前記楽曲データを不揮発性記憶手段に格納する手段とを有することを特徴とする。
【発明の効果】
【００１０】
本発明によれば、オンエア回数の多い楽曲をヒット曲とみなして記憶手段（不揮発性記憶手段）に自動的に記憶していくので、ユーザの利便性が向上する。
【発明を実施するための最良の形態】
【００１１】
以下、図面に基づき本発明の実施形態について説明する。
【００１２】
図１に、本実施形態におけるデジタルラジオ受信機１の概念構成を示す。デジタルラジオ受信機１は、動作モードとして３つのモードを有する。第１のモードは電源ＯＦＦモードであり、第２のモードは電源ＯＮモードで通常の動作モードである。第３のモードはスタンバイモードであり、放送局からのデジタルラジオ放送をモニタし、放送に含まれる楽曲を抽出し、放送の回数（オンエア回数）を計測しているモードである。第２のモードである通常動作モードでは、デジタルラジオ受信機１の各部に電力が供給されるが、第２のスタンバイモードでは楽曲データのモニタリングに必要な部位のみに電力が供給されて省電力化が図られる。スタンバイモードにおいて電力が供給され動作状態にあるのは、チューナ、計測を実行するＣＰＵ、及び楽曲データを記憶するハードディスクドライブＨＤＤ２２等の記憶部である。楽曲データを記憶する記憶部に要求される条件は比較的大容量でかつ不揮発性である。この条件を満足するのであれば、ＨＤＤの他にフラッシュメモリ等の半導体メモリであってもよい。
【００１３】
デジタルラジオ受信機１がスタンバイモードに設定されると、デジタルラジオ受信機１のコントローラ１６は、特定の放送局あるいは任意の放送局にチューナを同調させてデジタルラジオ放送を受信する。そして、デジタルラジオ放送に含まれる楽曲情報を復調し、楽曲が放送されていることを認識するとともに、放送されている楽曲名とアーティスト名を取得する。楽曲情報を取得すると、コントローラ１６は楽曲のオンエア回数を記録するオンエア回数リスト１６ｃの内容を更新する。オンエア回数リスト１６ｃの各レコードは、ナンバ（＃）１６ｃ１、楽曲名（Ｓｏｎｇ  Ｔｉｔｌｅ）、アーティスト名（Ａｒｔｉｓｔ）及びオンエア回数（Ｐｌａｙｅｄ）１６ｃ２から構成される。新たに楽曲情報を取得すると、オンエア回数リスト１６ｃにその楽曲名と同一の楽曲名（あるいは楽曲名とアーティスト名の両方）が存在するか否かを判定し、既に存在する場合にはオンエア回数を１だけインクリメントし、存在しなければ新たにオンエア回数リスト１６ｃに追加する。このような、楽曲情報の抽出、オンエア回数リストの検索、オンエア回数リストの更新という一連の処理をスタンバイ状態において継続して数日間実行する。放送される楽曲をモニタリングする期間はユーザが任意に設定でき、デジタルラジオ受信機１がシステムデフォルトとして予め記憶していてもよい。
【００１４】
数日後、オンエア回数リスト１６ｃには、数日間におけるオンエア回数が記録されているから、コントローラ１６はオンエア回数リスト１６ｃからオンエア回数が設定回数以上となる楽曲データ、あるいはオンエア回数の上位数曲にフラグ１６ｃ３を設定し、これらの楽曲のみをＨＤＤ２２等の大容量記憶部に記憶する。ＨＤＤ２２への記憶のタイミングとしては、数日後におけるオンエア回数リスト１６ｃにおいてフラグ１６ｃ３が設定されている楽曲を次に受信したタイミングで記憶する他、楽曲は全て一時的にバッファメモリに記憶しておき、フラグが設定されている場合にバッファメモリからＨＤＤ２２に転送して記憶する、あるいはスタンバイモードに移行した直後から数日間のあいだに順次オンエア回数リスト１６ｃの上位数曲をＨＤＤ２２に記憶していくことが可能である。いずれの場合でも、ＨＤＤ２２にはオンエア回数が多い数曲のみが記憶されることとなり、ユーザは単にデジタルラジオ受信機１をスタンバイモードに設定するだけでオンエア回数の多い楽曲、つまり、最近ヒットしていると考えられる楽曲のみをＨＤＤ２２に記憶することができる。ＨＤＤ２２に記憶された楽曲データはデジタルラジオ受信機１で再生することもでき、あるいは携帯音楽再生プレーヤに転送して携帯音楽再生プレーヤで再生することもできる。
【００１５】
スタンバイ状態においてデジタルラジオ受信機１が特定の放送局のみを受信する場合、オンエア回数リスト１６ｃは当該特定の放送局で放送されたヒットチャートを表す。一方、任意の複数放送局を受信する場合、任意の複数放送局で放送されたヒットチャートを表すことになり、ヒットチャートとしての精度が高まる。任意の複数放送局を受信する場合、所定時間間隔で次々と異なる放送局に切り替わるようにチューナを制御することもできる（ザッピング）。
【００１６】
以下、本実施形態のデジタルラジオ受信機１をより詳細に説明する。
【００１７】
図２に、デジタルラジオ受信機１の構成ブロック図を示す。アンテナ１０はデジタルラジオ放送局からのデジタルラジオ放送を受信する。
【００１８】
チューナ１２は、受信しようとするデジタルラジオ放送局の放送周波数信号を検波してデコーダ１４に出力する。
【００１９】
デコーダ１４は、検波信号を復調するとともに検波信号に含まれるメインチャネル信号とサブチャネル信号を分離し、サブチャネル信号に含まれるインフォメーションデータを抽出する。メインチャネル信号には音声データが含まれ、サブチャネル信号のインフォメーションデータには現在放送してるデジタルデータの属性が含まれており、楽曲を放送している場合には楽曲名データ及びアーティスト名データが含まれる。音声データ及び楽曲名データ並びにアーティストデータはコントローラ１６に供給される。また、動作モードが通常動作モード（電源ＯＮ状態）に設定されている場合、音声データはスピーカ２４に供給されて音声出力される。また、楽曲名データやアーティスト名データはコントローラ１６から表示部２０に供給され、スピーカ２４から流れている楽曲の楽曲名及びアーティスト名として表示部２０に表示される。一方、スタンバイモードにおいてはスピーカ２４には電力が供給されず非動作状態となるため音声出力はなされない。スタンバイモードにおいて、デコーダ１４はコントローラ１６からの指令により音声データをスピーカ２４に供給しないように構成してもよい。
【００２０】
操作部１８はユーザ操作可能なレバーやボタン、スイッチであり、以下の条件を設定する。操作部１８は、これらの条件に応じた操作信号（大別するとモード信号と設定信号）をコントローラ１６に供給する。
（１）動作モード
（２）モニタリング期間
（３）モニタリング放送局
（４）記憶すべき楽曲数
【００２１】
（１）の動作モードには、「電源ＯＦＦ」モード、「スタンバイ」モード、「電源ＯＮ」モードの３つのモードがある。「電源ＯＦＦ」モードでは各部の動作が停止している。「電源ＯＮ」モードでは各部が動作している通常動作状態にある。このモードに設定することでユーザはスピーカ２４から出力される音声データを聞くことができ、表示部２０に表示される各種データを視認することができる。「スタンバイ」モードではチューナ１２、デコーダ１４、コントローラ１６が動作状態にあり、オンエアされている楽曲をモニタリングする。アンプや表示部２０は非動作状態にある。モニタリングとは、オンエアされている楽曲の回数を計測することを意味する。
【００２２】
（２）のモニタリング期間は、スタンバイ状態においてモニタリングすべき通算期間である。モニタリング期間は時間単位、週単位、あるいは月日単位で設定される。例えば、ユーザがモニタリング期間を１週間に設定すると、デジタルスタンバイ状態に移行してから１週間の間、オンエアされた楽曲のオンエア回数を計測してオンエア回数リスト１６ｃを更新していく。モニタリング期間が経過すると、オンエア回数の計測を中止し、オンエア回数リスト１６ｃの更新も中止する。
【００２３】
（３）のモニタリング放送局は、モニタリングすべき放送局であり、特定の放送局を設定する他、任意の複数の放送局を設定する。任意の複数の放送局として、「ザッピング」を設定することもできる。ザッピングを設定した場合、チューナ１２は所定時間間隔で次々に受信する周波数を遷移させていく。ザッピング時の時間間隔、すなわちある放送局を受信している時間を上記の条件の一つとして含めてもよい。ザッピング時のモニタリングでは全ての放送局のオンエア回数の合計が得られるが、各放送局毎にオンエア回数を計測してもよく、いずれとするかをユーザが選択可能としてもよい。
【００２４】
（４）記憶すべき楽曲数は、ユーザがＨＤＤ２２等の記憶部に記憶することを望むヒットチャートの上位曲数である。例えば５曲等と設定する。
【００２５】
コントローラ１６はＣＰＵ及びワーキングメモリを含んで構成され、各部の動作を設定されたモードに応じて制御する。また、スタンバイモードに設定された場合、上記の（２）〜（４）の各設定条件に従ってモニタリングを実行する。そして、オンエア回数の多い上位曲をヒットチャートとしてＨＤＤ２２に記憶する。ＨＤＤ２２に記憶されたヒットチャートは、適宜、操作部１８からの操作信号に応じ、コントローラ１６がＨＤＤ２２から読み出してスピーカ２４から出力する。ユーザは、設定したモニタリング期間におけるヒットチャートを容易に視聴することができる。
【００２６】
ＵＳＢコネクタ２６は、携帯音楽再生プレーヤなどが接続されるコネクタであり、コントローラ１６はＨＤＤ２２に記憶されたヒットチャートをＵＳＢコネクタ２６を介して携帯音楽再生プレーヤに転送する。
【００２７】
図３に、図２におけるコントローラ１６の機能ブロック図を示す。バッファメモリ１６ａは、デコーダ１４からの音声データを一時的に記憶する。なお、デコーダ１４からの楽曲名データ及びアーティスト名データは計数部１６ｂに供給される。
【００２８】
計数部１６ｂは、オンエアされバッファメモリ１６ａに一時的に記憶されている楽曲の楽曲名データ及びアーティスト名データをキーとしてワーキングメモリに格納されているオンエア回数リスト１６ｃの各レコードを検索する。オンエア回数リスト１６ｃの各レコードは、ナンバ（＃）フィールド、楽曲名フィールド、アーティスト名フィールド及びオンエア回数フィールドの各フィールドを有する。同一楽曲名及び同一アーティスト名が既にリストに存在する場合にはそのレコードのオンエア回数フィールドの数値を１だけインクリメントする。同一楽曲名及び同一アーティスト名がリストに存在しない場合、新たにレコードを作成し、その新規作成レコードのオンエア回数フィールドの数値を１に設定する。スタンバイ状態ではワーキングメモリには電力が供給され、オンエア回数リストは保持される。ワーキングメモリとしてＥＥＰＲＯＭ等の不揮発性メモリを用いてもよい。この場合、電源ＯＦＦにしてもオンエア回数リストはそのまま保持され、次回のスタンバイ状態でのモニタリングにそのまま引き継がれる。計数部１６ｂは、操作部１８から入力したモード信号（（１）の動作モードに応じた信号）及び設定信号（（２）〜（４）の設定に応じた信号）に応じて計測処理及び記憶処理を実行する。例えば、モニタリング期間が７日間、モニタリング放送局がＡ放送局、記憶すべき楽曲数が５曲と設定されたとする。計数部１６ｂは、タイマ１６ｄでカウントされる７日間まで、順次楽曲のオンエア回数を計測してオンエア回数リスト１６ｃを更新していく。そして、オンエア回数リスト１６ｃにおいて毎日上位５曲にフラグを設定していき、バッファメモリ１６ａに一時的に記憶されている楽曲がフラグの設定されている楽曲か否かを判定し、フラグの設定されている楽曲であればＨＤＤ２２に転送して記憶する。以上のようにして毎日、上位５曲がＨＤＤ２２に記憶されていく。既にＨＤＤ２２に記憶されている楽曲は重複して記憶する必要がないためフラグを無効とする。また、ＨＤＤ２２への記憶は、１日の間の所定のタイミングでまとめて行ってもよい。すなわち、フラグの設定された楽曲の音声データをバッファメモリからＲＡＭに転送し、ＲＡＭからＨＤＤ２２にまとめて転送して記憶してもよい。以上の処理を７日間継続して実行して終了する。すなわち、スタンバイ状態であっても計測処理及び記憶処理は行わない。
【００２９】
図４に、７日間のモニタリングの一例を示す。楽曲Ａ〜楽曲Ｍの１日毎のオンエア回数である。各日において、左欄は当日のオンエア回数を表し、右欄は累計を表す。例えば、楽曲Ａに着目すると、１日目（Ｄａｙ１）は１２回オンエアされ、２日目（Ｄａｙ２）は５回オンエアされて累計では１７回、３日目（Ｄａｙ３）は６回オンエアされて累計では２３回等である。また丸印は各日において累計オンエア回数が多い上位５曲を表し、ハッチングはＨＤＤ２２に記憶された楽曲を表す。「結果」はＨＤＤ２２に格納された場合に「取得」としている。
【００３０】
１日目（Ｄａｙ１）では、オンエア回数の多い上位５曲は楽曲Ａ，Ｂ，Ｃ，Ｄ，Ｅであり、これらの音声データがＨＤＤ２２に記憶される。すなわち、オンエア回数リスト１６ｃの楽曲Ａ〜Ｅのレコードにはフラグが設定され、コントローラ１６はバッファメモリ１６ａに記憶した楽曲がフラグの設定された楽曲か否かをオンエア回数リスト１６ｃにアクセスすることで判定し、フラグの設定された楽曲である場合にＨＤＤ２２に記憶する。
【００３１】
２日目（Ｄａｙ２）では、オンエア回数の多い上位５曲は楽曲Ａ〜Ｄ及び楽曲Ｉであり、楽曲Ａ〜Ｄは既に前日にＨＤＤ２２に記憶されているためこれらのフラグは無効とされ、楽曲Ｉの音声データがＨＤＤ２２に記憶される。
【００３２】
３日目（Ｄａｙ３）では、オンエア回数の多い上位５曲は楽曲Ａ〜Ｃ，Ｆ，Ｉであり、楽曲Ａ〜Ｃ及び楽曲Ｉは既にＨＤＤ２２に記憶されているためこれらのフラグは無効とされ、楽曲Ｆの音声データがＨＤＤ２２に記憶される。４日目〜６日目も同様である。
【００３３】
７日目（Ｄａｙ７）では、オンエア回数の多い上位５曲は楽曲Ｂ，Ｃ，Ｆ，Ｉ，Ｋであり、楽曲Ｂ，Ｃ，Ｆ，Ｉは既にＨＤＤ２２に記憶されているためこれらのフラグは無効とされ、楽曲Ｋの音声データがＨＤＤ２２に記憶される。以上のようにして、７日間で楽曲Ａ〜Ｆ、Ｉ、Ｋの合計８曲がＨＤＤ２２に自動的に記憶される。
【００３４】
図５に、１日目（Ｄａｙ１）のモニタリングでのオンエア回数の時間変化を示す。図では楽曲Ａ〜Ｆのみを示す。ユーザがスタンバイ状態にモード設定した時刻を１０：００とする。まず楽曲Ａがオンエアされたため計数部１６ｂはオンエア回数リスト１６ｃに楽曲Ａのレコードを新規に追加し、そのレコードのオンエア回数フィールドに「１」を書き込む。次に、楽曲Ｂがオンエアされたため計数部１６ｂはオンエア回数リスト１６ｃに楽曲Ｂのレコードを新規に追加し、そのレコードのオンエア回数フィールドに「１」を書き込む。開始から所定時間経過後、具体的には開始から２４時間経過後に、計数部１６ｂはオンエア回数リスト１６ｃにおいてオンエア回数が多い上位５曲を抽出する。抽出した５曲にはＨＤＤ２２に格納することを示すフラグを設定する。フラグは各レコードのフラグ専用フィールドに設定する。楽曲Ａ，Ｂ，Ｃにフラグが設定され、楽曲Ｆにはフラグは設定されない。フラグ設定後、楽曲Ｂがオンエアされると、計数部１６ｂはオンエア回数リスト１６ｃにアクセスし、楽曲Ｂのレコードを検索してそのオンエア回数を１だけインクリメントするとともに（図では「１１」にインクリメントされたことを示す）、フラグが設定されているか否かを判定し、フラグが設定されているので楽曲ＢのデータをＨＤＤ２２に格納する。次に、楽曲Ｆがオンエアされると、計数部１６ｂはオンエア回数リスト１６ｃにアクセスし、楽曲Ｆのレコードを検索してそのオンエア回数を１だけインクリメントするとともに（図では「６」）にインクリメントされたことを示す）、フラグが設定されているか否かを判定し、フラグが設定されてないので楽曲Ｆのデータはこの時点ではＨＤＤ２２に格納されない。次に、楽曲Ａがオンエアされると、計数部１６ｂは楽曲Ｂと同様にフラグが設定されているためＨＤＤ２２に格納する。
【００３５】
このように、本実施形態では、ユーザは単にデジタルラジオ受信機１のモードをスタンバイモードに設定することで、頻繁にオンエアされるヒット曲のみをＨＤＤ２２に自動的に録音することが可能である。
【００３６】
なお、本実施形態ではスタンバイモードにおいて楽曲をモニタリングしているが、ユーザがスタンバイモードから通常動作モードに設定を切り替えた場合でも、モニタリング期間が経過していなければ通常動作モードにおいて引き続きモニタリングを実行してもよい。この場合、スピーカ２４から楽曲が流れると共にヒット曲がＨＤＤ２２に自動録音されることになる。
【００３７】
また、コントローラ１６はチューナ１２を制御して受信放送局を順次切り替えて（ザッピング）モニタリングする場合、通常は１５秒間隔で放送局を切り替えるが、フラグの設定された楽曲がオンエアされていることを検出すると、ザッピングを一次中断してその楽曲データを全てバッファメモリ１６ａに記憶し、その後に他の放送局に切り替えればよい。あるいは、サブチャネルに含まれる楽曲情報データを検出し、オンエア回数リスト１６ｃを更新するだけに必要な時間をザッピングの基準切替時間とし、フラグの設定された楽曲の楽曲情報データを検出した場合に一時的に基準切替時間を当該楽曲のオンエア終了時点まで延期すればよい。
【００３８】
本実施形態では、オンエア回数の上位５曲にフラグを設定しているが、フラグに限らず他の楽曲と区別し得る任意の識別情報を用いることが可能である。
【００３９】
また、上位５曲（あるいは上位数曲）ではなく、オンエア回数が所定回数（例えば１０回）以上の楽曲にフラグその他の識別情報を設定してもよい。この場合、ユーザが設定すべき条件は記憶すべき楽曲数ではなく、記憶すべき楽曲のオンエア回数しきい値となる。
【図面の簡単な説明】
【００４０】
【図１】実施形態の受信機の概念構成図である。
【図２】実施形態の受信機の構成ブロック図である。
【図３】図２におけるコントローラの機能ブロック図である。
【図４】複数の楽曲のオンエア状況説明図である。
【図５】本実施形態の処理を時系列で示した説明図である。
【符号の説明】
【００４１】
１  デジタルラジオ受信機、１０  アンテナ、１２  チューナ、１４  デコーダ、１６  コントローラ、１８  操作部、２０  表示部、２２  ＨＤＤ（ハードディスクドライブ）、２４  スピーカ、２６  ＵＳＢコネクタ。
【図１】
2007110244.tif 000003
【図２】
2007110244.tif 000004
【図３】
2007110244.tif 000005
【図４】
2007110244.tif 000006
【図５】
2007110244.tif 000007